(57)【要約】【課題】  複数の戸体がジグザグ状に折り畳まれて開口部を開放する折り戸において、戸体の連結部が戸面からはみ出さず、しかも、指挟み防止がなされたものに構成する。【解決手段】  パネル体３同志のあいだに配される中間框材８を、パネル体３と同様の板厚を有した矩形状とし、閉鎖姿勢におけるパネル体３と中間框材８との対向間に所定間隙Ｓを形成し、該間隙Ｓにパネル体３の左右框材６、７と中間框材８との連結部Ｃを形成し、閉鎖姿勢の折り戸１の戸面が略面一状になるように構成する。【選択図】        図９
2005139832.tif 000002
【特許請求の範囲】
【請求項１】
複数の戸体のあいだに中間框材を揺動自在に連結し、戸体が左右方向に並列して開口部を閉鎖する閉鎖姿勢と、戸体がジグザグ状に折り畳まれて開口部を開放する開放姿勢とに変姿する折り戸において、中間框材を、戸体と略同様の見込み幅を有した矩形状とする一方、閉鎖姿勢における戸体と中間框材との対向間に所定間隙を形成し、該所定間隙に、戸体側に形成される揺動支軸部と、該揺動支軸部が軸承される中間框材側の軸受け片部とにより構成される連結部が、中間框材の屋内外何れか一方に偏寄して配設されている折り戸。
【請求項２】
請求項１において、戸体と中間框材とのあいだの所定間隙は、略指一本分以上に相当するものとし、戸体の左右側片の屋内外他方側には、前記所定間隙を封止する緩衝材が設けられている折り戸。
【請求項３】
請求項１または２において、連結部は、戸体の揺動支軸部と屋内外一方の側片部とのあいだに形成される戸体側円弧片部と、中間框材の軸受け片部の他方側に形成される中間框材側円弧片部とを備え、これら円弧片部同志は、揺動支軸部の軸受け片部における揺動に伴い摺動するように構成されている折り戸。
【請求項４】
請求項３において、中間框材側円弧片部は、摺動方向中間部に戸体側円弧片部から離間する膨出部が形成されている折り戸。
【発明の詳細な説明】
【技術分野】
【０００１】
本発明は、開口部に建付けられて、複数の戸体が折り畳まれることで開口部の開放をする折り戸の技術分野に属するものである。
【背景技術】
【０００２】
一般に、開口部を開閉する戸体のなかには、複数の戸体を揺動自在に連結し、戸体が左右方向に並列して開口部を閉鎖する閉鎖姿勢と、戸体がジグザグ状に折り畳まれて開口部を開放する開放姿勢とに変姿するように構成された折り戸がある。このものにおいて、戸体同志の揺動自在な連結を蝶番により実現することが提唱されるが、このようにした場合、折り戸を閉鎖姿勢としたとき蝶番のヒンジ部が戸面から突出して意匠的に劣るという問題がある。
【０００３】
この改善策として、戸体と戸体のあいだに中間框材を設け、該中間框材の左右方向内方側に、ヒンジ状の連結片である揺動支軸を設ける一方、戸体の左右端縁部に前記揺動支軸を軸承する軸受け片部を形成し、揺動支軸が軸受け片部に対し所定揺動範囲で揺動自在となるように構成することにより、軸承部が折り戸の戸面から突出しないようにしたものが提唱されている。
【特許文献１】実開平１−１７３２８９号公報
【発明の開示】
【発明が解決しようとする課題】
【０００４】
ところて、このような折り戸において、開放姿勢から閉鎖姿勢に変姿させる場合に、隣接する戸体の左右側片同志は閉鎖姿勢になるに従い近接して、互いに対向する位置関係となるため、指挟みに対する配慮が要求されるが、前記従来のものでは、開放姿勢で中間框材が外方に突出する状態となっており、戸体の左右端縁部同志のあいだだけでなく、該中間框材の左右側片とこれに連結する各戸体の左右端縁部とのあいだにそれぞれ指挟みの惧れがあるが、これに対する配慮は何らなされておらず、ここに本発明の解決すべき課題がある。
【課題を解決するための手段】
【０００５】
本発明は、上記の如き実情に鑑みこれらの課題を解決することを目的として創作されたものであって、複数の戸体のあいだに中間框材を揺動自在に連結し、戸体が左右方向に並列して開口部を閉鎖する閉鎖姿勢と、戸体がジグザグ状に折り畳まれて開口部を開放する開放姿勢とに変姿する折り戸において、中間框材を、戸体と略同様の見込み幅を有した矩形状とする一方、閉鎖姿勢における戸体と中間框材との対向間に所定間隙を形成し、該所定間隙に、戸体側に形成される揺動支軸部と、該揺動支軸部が軸承される中間框材側の軸受け片部とにより構成される連結部が、中間框材の屋内外何れか一方に偏寄して配設されているものである。
そして、このようにすることにより、閉鎖姿勢における戸面を面一状として、意匠性が高められるうえ、指挟み防止効果を得ることができる。
請求項２の発明は、請求項１において、戸体と中間框材とのあいだの所定間隙は、略指一本分以上に相当するものとし、戸体の左右側片の屋内外他方側には、前記所定間隙を封止する緩衝材が設けられているものであり、このようにすることにより、指挟み防止を効果的に行うことができる。
請求項３の発明は、請求項１または２において、連結部は、戸体の揺動支軸部と屋内外一方の側片部とのあいだに形成される戸体側円弧片部と、中間框材の軸受け片部の他方側に形成される中間框材側円弧片部とを備え、これら円弧片部同志は、揺動支軸部の軸受け片部における揺動に伴い摺動するように構成されているものであり、このようにすることにより、揺動支軸部の軸受け片部における揺動作動を、軸ズレがなく、円滑、かつ、安定したものにすることができる。
請求項４の発明は、請求項３において、中間框材側円弧片部は、摺動方向中間部に戸体側円弧片部から離間する膨出部が形成されているものであり、このようにすることにより、揺動作動が円滑、かつ、軽快なものにできる。
【発明の効果】
【０００６】
請求項１の発明とすることにより、閉鎖姿勢における戸面が面一状で、高い意匠性を備え、しかも、指挟み防止がなされた折り戸にすることができる。
請求項２の発明とすることにより、指挟み防止をさらに効果的に行うことができる。
請求項３の発明とすることにより、揺動支軸部の軸受け片部における揺動作動を、軸ズレがなく、円滑、かつ、安定したものにすることができる。
請求項４の発明とすることにより、揺動作動が円滑、かつ、軽快なものにできる。
【発明を実施するための最良の形態】
【０００７】
次ぎに、本発明の実施の形態について、図１〜図１１の各図面に基づいて説明する。
図面において、１は建築物の開口部に建て付けられた折り戸であって、該折り戸１は、開口部四周に設けられた矩形状のドア枠２に、複数（本実施の形態では四枚）のパネル体（戸体）３の上下方向側縁部を揺動自在に連結して構成されたドア体４を吊持し、後述するように、各パネル体３が左右方向に並列して開口部を閉鎖する閉鎖姿勢と、各パネル体３がジグザグ状に折畳まれて屋内外方向を向き、開口部を開放する開放姿勢とに変姿するように構成されていることは、従来通りのものである。
【０００８】
前記ドア枠２を構成する上枠体２ａには、屋内外方向に対向するレール部２ｂが形成されており、該レール部２ｂには、屋内外方向、および、レール長方向に対向する状態で都合四個のローラ５ａを備えたローラユニット５が転動自在に走行するように構成されている。尚、ローラユニット５は、一対のローラ５ａを軸承する支軸５ｂの二本が、レール長方向に並んで支架される本体部５ｃを備えて構成され、前記本体部５ｃの支軸５ｂ支架部のあいだには、パネル体３連結用の連結凹部５ｄが形成されている。
【０００９】
一方、ドア体４を構成する各パネル体３は、本実施の形態では無色透明のガラス板材３ａと、該ガラス板材３ａの四周に一体的に固着されるアルミ型材で形成された上下の框材３ｂ、３ｃ、および、左右の框材６、７とを備えて構成されている。そして、これら左右の框材６、７は、後述するように、隣接するパネル体３の左右框材６、７とのあいだに中間框材８が介装され、中間框材８の屋内外何れか一方に位置し、左右框材６、７と中間框材８とのあいだに設けられる連結部Ｃを基準として、中間框材８に対して略９０度の揺動範囲において揺動自在になるように連結されている。
【００１０】
ここで、本実施の形態において、ドア体４は四枚のパネル体３を備え、図５に示すように、左側から一枚目と二枚目とのパネル体３のあいだ、そして、三枚目と四枚目とのパネル体３のあいだについては、屋内側に連結部Ｃが位置する中間框材８に対し、左右框材６、７が屋内側部位において揺動自在に連結されており、二枚目と三枚目とのパネル体３のあいだについては、屋外側に連結部Ｃが位置する中間框材８に対し、左右框材６、７が屋外側部位において揺動自在に連結されるように設定され、中間框材８の連結部Ｃが屋内外交互に位置するようになっている。尚、一枚目と四枚目とのパネル体３の左右端部は、それぞれ左右の端框材９、１０が連結されるが、これらのあいだについても、後述するように、前記各左右框材６、７と中間框材８との連結と同様の連結部Ｃが屋外側に位置して設けられており、これによって、左右端框材９、１０に連結される各パネル体３が揺動自在となるように構成されている。
【００１１】
そして、このように連結されたドア体４において、前記屋外側の連結部Ｃにおいて連結された中間框材（二枚目、三枚目のパネル体３のあいだの中間框材）８と、左右の端框材９、１０の上端面には、連結ボルト１１が高さ調整自在な状態で上方に突設されており、該連結ボルト１１を、前記上枠体２ａに形成されたレール部２ｂを走行するローラユニット５の本体部５ｃに形成の連結凹部５ｄに、抜け止め板５ｅを介して係止せしめることにより、ドア体４の上枠体レール部２ａへの連結がなされるように設定されている。また、前記ローラユニット５が連結される中間框材８と、左右の端框材９、１０の下端には、下方に突出してガイド片１２が形成されている。
【００１２】
そして、前記中間框材８と左右の端框材９、１０とに設けられた連結ボルト１１をローラユニット５に連結するとともに、前記各ガイド片１２を、ドア枠２を構成する下枠体２ｃに形成されるガイド溝Ｈに移動自在に遊嵌させることにより、ドア体４のドア枠２への取り付けがなされるように設定されている。
ここで、下枠体２ｃは、上方が開口する溝幅の広い凹部２ｄが長尺状に一体型成形されたものに構成されており、該凹部２ｄの屋外側溝側面に埋め込み材１３を着脱自在に配すことにより、ガイド片１２を遊嵌するガイド溝Ｈの溝幅を、凹部２ｄの溝幅よりも幅狭にするように設定されている。これによって、下枠体２ｃは、通常の使用状態においては凹部２ｄに埋め込み材１３を埋め込んで幅狭なガイド溝Ｈとし、ガイド片１２を安定した状態で移動案内するが、メンテナンス時等では、埋め込み材１３を治具等を用いて取り外すことにより、幅広な凹部２ｄを露出させて該凹部２ｄ内における掃除を、簡単かつ容易に行えるように配慮されている。
【００１３】
そして、ドア体４を構成する右端框材１０に設けられたハンドル１４を把持し、左右方向に移動させることで、各パネル体３との連結部Ｃが形成された中間框材８、左右端框材９、１０のうち、一つおきに連結されたローラユニット５のローラ５ａがレール部２ｂを走行する一方で、下方に設けられたガイド片１２が、ガイド溝Ｈにガイドされて左右方向に移動するように設定されている。これによって、ドア体４は、中間框材８に対してパネル体３が左右隣接状に位置し、各パネル面が左右方向に並列してドア枠２内（開口部）を閉鎖する閉鎖姿勢と、各パネル体３が中間框材８を基準としてそれぞれ略９０度揺動し、ローラユニット５とガイド片１２とが設けられない中間框材８（屋内側に連結部Ｃが設けられている中間框材８）が屋外側に突出し、ローラユニット５とガイド片１２とが設けられている中間框材８（屋外側に連結部Ｃが設けられた中間框材８）と、左右端框材９、１０とが上下枠体２ａ、２ｃに位置する（ガイド溝Ｈにガイドされる）状態で各パネル体３がジグザグ状に折り畳まれ、ドア枠２の左右何れか一方（本実施の形態では図１において左側）においてパネル体３が屋内外方向を向き、ドア枠２内を開放する開放姿勢とのあいだを姿勢変姿するように設定されている。
【００１４】
さて、各パネル体３の左右に設けられる左右框材６、７であるが、左右框材６、７は、同様の構成のものを、左右方向に１８０度の回転、あるいは、上下方向に１８０度の回転をさせることにより連結部Ｃの配設方向が変わり、このように配設方向を変えることで、各連結部Ｃの位置が所定の位置になるように構成されている。一方、中間框材８は、同様の構成のものを、左右方向に１８０度回転させることで連結部Ｃの位置が屋内外何れかに位置するように構成されている。そこで、左右框材６、７と中間框材８との詳細な説明としては、屋内側に連結部Ｃが設けられる中間框材８に連結する左右框材６、７について、図８、９に基づいて説明する。
【００１５】
まず、左右框材６、７は、略角筒状の本体部６ａ、７ａを備え、中間框材８との連結側とは反対の側片部に、ガラス板材３ａを嵌着するための板材支持部６ｂ、７ｂが上下方向に長い開口状に形成されている。そして、本体部６ａ、７ａの中間框材８側部位には、屋内側片部に続く状態で突出する延長片部６ｃ、７ｃが上下方向一体に形成されているが、該延長片部６ｃ、７ｃは本体部６ａ、７ａの屋内側片部と面一状に形成されており、延長片部６ｃ、７ｃの先端部に左右框材６、７側の連結部Ｃが形成されている。前記連結部Ｃは、延長片部６ｃ、７ｃの先端部から、屋外側に向けて折曲形成される円弧片部６ｄ、７ｄを備えて構成されており、該円弧片部６ｄ、７ｄは、所定の曲率を有し、略９０度の回転角度の円弧状片に形成されている。前記円弧片部６ｄ、７ｄには、該円弧片部６ｄ、７ｄの軸芯部に向けて延出し、該延出先端に、円弧片部６ｄ、７ｄの円中心となる円柱状の揺動支軸部６ｅ、７ｅが形成されている。このように形成された揺動支軸部６ｅ、７ｅは、本体部６ａ、７ａとは所定の間隙を存して位置し、かつ、延長片部６ｃ、７ｃよりも屋外側に変位して設けられている。さらに、前記揺動支軸部６ｅ、７ｅの外周には、外径側に向けて同芯状に突出する規制凸部６ｆ、７ｆが形成されており、本発明の規制手段を構成するように設定されている。
また、本体部６ａ、７ａの中間框材８側を向く片部の屋外側には、それぞれ嵌着溝６ｇ、７ｇが形成されており、ここに、ゴム質弾性材からなり、弾性変形自在な緩衝材１５が嵌着されている。該緩衝材１５は、ドア体４が閉鎖姿勢になることに伴い、後述するように、本体部６ａ、７ａとは所定間隙Ｓを存して配設される中間框材８の左右側片部８ａ、８ｂの屋外側部位に当接して、前記所定間隙Ｓを封止するように寸法設定されている。
【００１６】
一方、中間框材８は、左右框材６、７と略同様の見込み幅（屋内外方向寸法（板厚））を有した矩形状に形成されており、左右側片部８ａ、８ｂ、および、屋内外側片部８ｃ、８ｄを備えて構成されている。これによって、ドア体４の閉鎖姿勢において、屋外側面に面する左右框材本体部６、７の屋外側片部、緩衝材１５の屋外側片部、そして、中間框材８の屋外側片部８ｄとが略面一状になるように設定され、これによって、意匠性が向上するように配慮されている。
そして、中間框材８は、閉鎖姿勢の左右框材６、７の嵌着溝６ｇ、７ｇとのあいだに左右方向所定間隙Ｓを存して配設されるが、該所定間隙Ｓは、人の指一本分以上の隙間に設定されており、該所定間隙Ｓに指が入り込んでも支障のない大きさとなっている。これによって、ドア体４が開放姿勢から閉鎖姿勢に変姿して、パネル体３左右側片と中間框材８の左右側片部８ａ、８ｂとの連結部Ｃが形成されない側（屋外側）部位が次第に近接対向する過程で、該対向部位に指が挟まれるようなことがないように構成されている（図１０参照）。
【００１７】
一方、中間框材８は、左右側片部８ａ、８ｂの屋内側部位に連結部Ｃが形成されている。
つまり、中間框材８の屋内側片部８ｃの左右には、屋内側片部８ｃと面一状の延長片部８ｅがそれぞれ左右外方に向けて突出形成されており、該延長片部８ｅと、左右側片部８ａ、８ｂとのコーナー部に、凹溝状の軸受け片部８ｆがそれぞれ形成されている。そして、これら軸受け片部８ｆに、左右框材６、７側の揺動支軸部６ｅ、７ｅが摺動自在に内嵌しており、これら揺動支軸部６ｅ、７ｅが軸受け片部８ｆにおいて揺動（摺動）することにより、左右框材６、７が揺動支軸部６ｅ、７ｅを支点とする中間框材８に対する屋内外方向の揺動がなされ、これに基づいて、ドア体４の閉鎖姿勢と開放姿勢とのあいだの揺動変姿がなされるように設定されている。このとき、連結部Ｃは、左右框材本体部６ａ、７ａと中間框材８との対向間に位置して設けられており、ドア体４の閉鎖姿勢において、連結部Ｃが屋内側に突出することはなく、屋内側に面する左右框材６、７の屋内側片部と中間框材８の屋内側片部８ｃとが略面一状になって、意匠的に優れたものになっている。
【００１８】
ここで、前記各軸受け片部８ｆには、さらに溝深状の副凹溝部８ｇが形成されており、該副凹溝部８ｇに、揺動支軸部６ｅ、７ｅの外周から突出する規制凸部６ｆ、７ｆが摺動自在に内嵌するように設定されている。そして、前記副凹溝部８ｇは、周回り方向の溝長さが略９０度の回転角度に相当するように設定されており、揺動支軸部６ｅ、７ｅが軸受け片部８ｆを揺動作動する場合に、規制凸部６ｆ、７ｆが副凹溝部８ｇの周回り方向溝端面に当接することにより揺動を規制するように設定されている。これによって、左右框材６、７は、開放姿勢と閉鎖姿勢とのあいだの略９０度の揺動範囲に規制された状態で揺動するように設定されており、このようにして規制手段が構成されている。
【００１９】
一方、中間框材８の左右側片部８ｃ、８ｂには、前記左右框材揺動支軸部６ｅ、７ｅと同芯状の円弧状片で構成される円弧片部８ｊが形成されており、左右框材６、７が揺動するとき、円弧片部８ｊの内周面に左右框材円弧片部６ｄ、７ｄの外周が摺接する状態で揺動するように設定されている。そして、揺動支軸部６ｅ、７ｅが軸受け片部８ｆにおいて揺動作動をすることに基づいて、左右框材円弧片部６ｄ、７ｄの外周面と中間框材円弧片部８ｊとが摺動するように設定されており、これによって、揺動支軸部６ｅ、７ｅによる摺動作動が軸芯ズレのない、より安定した作動になるように設定されている。尚、中間框材円弧片部８ｊは、周回り方向中間部に外径側に突出する膨出部８ｋが形成されており、これによって、左右框材円弧片部６ｄ、７ｄとの摺接面が小さくなって、より円滑な摺動がなされるように設定されている。
【００２０】
さらに、左端框材９と右端框材１０とは、屋外側において左右框材６、７の揺動支軸部６ｅ、７ｅと規制凸部６ｆ、７ｆとを摺動自在に内嵌する軸受け片部９ａ、１０ａ、副凹溝部９ｂ、１０ｂ、そして、円弧片部６ｄ、７ｄを摺動自在に内嵌する円弧片部９ｃ、１０ｃとがそれぞれ形成され、左右框材６、７と中間框材８とのあいだに形成される連結部Ｃと同様の構成であって、揺動支軸部６ｅ、７ｅの揺動規制がなされる状態での連結部Ｃに構成されている。これによって、左右框材６、７は、左右端框材９、１０に対し、屋外側方向に向く揺動が可能となるように設定されている。
【００２１】
尚、１６は、ドア体４の開放姿勢において屋外側に突出する中間框材８に設けられるグレモン錠１６であって、該グレモン錠１６は、中間框材８屋内側の上下方向中間部に設けられたハンドル１６ａと、ハンドル１６ａの操作により中間框材８の上下端面から上下方向にそれぞれ突出するガイド片１６ｂとにより構成されている。そして、ドア体４を閉鎖姿勢としたとき、前記ハンドル１６ａを操作してガイド片１６ｂを上下に突出させることにより、ガイド片１６ｂがドア枠２の上枠体２ａのレール部２ｂ間、および、下枠体２ｃに形成されたガイド溝Ｈにそれぞれ係合するように設定されており、これによって、ドア体４の閉鎖姿勢において、全ての中間框材８がレール部２ｂおよびガイド溝Ｈにそれぞれガイドされる状態となって、耐風性が高められるようになっている。
【００２２】
叙述の如く構成された本形態において、ドア体４は、複数のパネル体３の左右端縁部を連結してジグザグ状に折畳まれる状態で開口部の開放をする構成となっているが、このものでは、パネル体３とパネル体３とのあいだに中間框材８が連結されており、パネル体３の左右框材６、７と中間框材８とのあいだに設けられる連結部Ｃが、左右框材本体部６ａ、７ａと左右側片部８ａ、８ｂとの対向間に形成された所定間隙Ｓのあいだに位置して設けられている。この結果、これら連結部Ｃが、パネル体３および中間框材８の板厚を越えて屋内外何れにも突出することがなく、ドア体４を閉鎖姿勢としたときに、ドア体４のドア面が屋内外何れにおいても略面一状となって、意匠的に優れたものにできる。
【００２３】
そのうえ、本発明が実施されたものにおいては、ドア体４を閉鎖姿勢とした状態において、左右框材本体部６ａ、７ａと中間框材８の左右側片部８ａ、８ｂとのあいだには、人の指が入ってもけがをしない程度の所定間隙Ｓが設けられている。このため、揺動支点となる連結部Ｃが設けられるのとは屋内外方向反対側において、ドア体４が開放姿勢から閉鎖姿勢に変姿するとき、左右框材本体部６ａ、７ａと中間框材８の左右側片部８ａ、８ｂとのあいだが次第に対向間隔を狭めることになるが、閉鎖姿勢となったとしても所定間隙Ｓが確保されるため、ここに指が入ってしまったとしても挟まれることがなく、中間框材８を持ってドア体４の開閉操作をすることも可能となって、操作性のよい折り戸１とすることができる。
【００２４】
しかもこのものでは、揺動支軸部６ｅ、７ｅが軸受け片部８ｆにおいて揺動する場合に、該揺動部の外径側において左右框材側円弧片部６ｄ、７ｄと中間框材側円弧片８ｊとの摺動がなされる構成となっているので、揺動作動が軸ズレしてしまうような不具合がなく揺動作動が安定し、ドア体４を円滑に開閉作動させることができる。
【００２５】
さらに、前記揺動作動において、中間框材側円弧片８ｊには膨出部８ｋが形成されていて左右框材側円弧片部６ｄ、７ｄとの摺接面が少なくなるようになっているので、左右框材側円弧片部６ｄ、７ｄと中間框材側円弧片８ｊとの摺動作動がより円滑、かつ、軽快に行えることになって、ドア体４の開閉作動をさらに動きのよいものにできる。
【００２６】
また、このものでは、揺動支軸部６ｅ、７ｅの軸受け片部８ｆにおける揺動の範囲を規制するための規制手段が設けられているため、隣接するパネル体３同志が不用意にぶつかり合ってしまうような不具合がなく、静粛な開閉作動の折り戸１とすることができる。
【００２７】
しかも、このものでは、連結部Ｃの屋内外方向反対側部位には緩衝材１５が設けられているため、指が挟まれていたとして緩衝材１５による緩衝効果を受けることができる。
さらには、図１０に示すように、屋外側から左框材６と中間框材８との対向間に指が入り込んだ場合に、閉鎖作動により屋外側に向けて変位する状態で摺動する左框材側円弧状片６ｄが、中間框材側円弧片部８ｊの内側に位置していて、坂町側円弧状片６ｄによる挟み込みの惧れはない。しかも、屋外側に位置する中間框材側円弧片部８ｊは屋外側に向けて円弧状に形成されているので、左框材６が中間框材８の右側片部８ｂに近接したとき、これらのあいだに侵入している指を円弧片部８ｊに沿って屋外側に押し出すように作用するため、指は両框材６、８間から抜け出す方向に押しやられることになって、さらなる、指挟み防止としての優れた効果を得ることができる。
そのうえ、左框材６と中間框材８とのあいだに配される緩衝材１５は左框材６側に設けられているので、緩衝材１５がこれらのあいだに侵入している指に近接することにより、指を屋外側に押しやる方向から当接することになって、指の挟み込みを示唆して事前に防衛できるという効果を得ることができる。
【００２８】
また、ドア枠２を構成する下枠体２ｃに形成されるガイド溝Ｈは、埋め込み材１３が埋め込まれている構成であるので、埋め込み材１３を取り外すことで溝幅を広くすることができて、掃除をするのが簡単で、メンテナンス性のよい折り戸１にすることができる。
【図面の簡単な説明】
【００２９】
【図１】折り戸の正面図である。
【図２】折り戸の開閉状態を説明する斜視図である。
【図３】折り戸の開閉状態を説明する斜視図である。
【図４】折り戸の側面断面図である。
【図５】折り戸の平面断面図である。
【図６】ドア体の上枠体への取付け状態を説明する斜視図である。
【図７】下枠体を説明する分解斜視図である。
【図８】ドア体の閉鎖姿勢を示す一部平面断面図である。
【図９】左右框材と中間框材との連結状態を説明する平面断面図である。
【図１０】左右框材と中間框材との連結状態と、指挟み防止を説明する平面断面図である。
【図１１】左右框材と中間框材との連結状態を説明する斜視図である。
【符号の説明】
【００３０】
１    折り畳み式ドア装置
２    ドア枠
３    パネル体
４    ドア体
５    ローラユニット
６    左框材
６ｄ    円弧片部
６ｅ    揺動支軸部
６ｆ    規制凸部
７    右框材
８    中間框材
８ｆ    軸受け片部
８ｇ    副凹溝部
９    左端框材
１２    ガイド片
１３    埋め込み材
１５    緩衝材
【図１】
2005139832.tif 000003
【図２】
2005139832.tif 000004
【図３】
2005139832.tif 000005
【図４】
2005139832.tif 000006
【図５】
2005139832.tif 000007
【図６】
2005139832.tif 000008
【図７】
2005139832.tif 000009
【図８】
2005139832.tif 000010
【図９】
2005139832.tif 000011
【図１０】
2005139832.tif 000012
【図１１】
2005139832.tif 000013